(57)【要約】      （修正有）【課題】水位センサーが取付く水位センサー取付部材のドレン水蒸発皿への取り付けを簡単にするとともに、多品種の冷凍冷蔵ショーケースに対して複数種類水位センサー取付部材を用意することなく、共通の水位センサー取付部材で対応できる水位センサー取付部材を提供する。【解決手段】ドレン水蒸発皿とドレン水蒸発皿の水位を検知する水位センサーとを設けたショーケースの前記水位センサーをドレン水蒸発皿へ取付けるための水位センサー取付部材２０であって、水位センサー取付部材２０は、水位センサー取付用の孔２２ｂまたはスリット孔２２が設けてある平面板状の水位センサー取付部２１と、前記水位センサー取付部２１の一端側に垂設されて前記ドレン水蒸発皿の側板上縁部を把持する把持部２３とで形成されている。【選択図】図２
2010085035.tif 000002
【特許請求の範囲】
【請求項１】
ドレン水蒸発皿とドレン水蒸発皿の水位を検知する水位センサーとを設けたショーケースの前記水位センサーをドレン水蒸発皿へ取付けるための水位センサー取付部材であって、
前記水位センサー取付部材は、
水位センサー取付用の孔またはスリット孔が設けてある平面板状の水位センサー取付部と、
前記水位センサー取付部の一端側に垂設されて前記ドレン水蒸発皿の側板上縁部を把持する把持部と、
で形成されていることを特徴とする水位センサー取付部材。
【請求項２】
前記把持部には、前記側板上縁部が差込まれる差込スリットが形成された把持手段が設けられていることを特徴とする請求項１に記載の水位センサー取付部材。
【請求項３】
前記把持手段は少なくとも３個所設けられており、前記把持手段のうち隣合わない把持手段の差込スリット中心同士を結んで形成される想像線に対して、前記隣合わない把持部の中間にある把持手段の差込スリット中心は一致せずに設けられていることを特徴とする請求項２に記載の水位センサー取付部材。
【請求項４】
前記水位センサー取付部の他端側であって前記把持部と同一方向に垂直壁部が垂設されていることを特徴とする請求項１から請求項３のいずれか１項に記載の水位センサー取付部材。
【請求項５】
前記垂直壁部には、前記スリット孔と連通するスリットが設けられていることを特徴とする請求項４に記載の水位センサー取付部材。
【請求項６】
前記垂直壁部の外側面は、先端に行くほど内側に傾斜するテーパ面で形成されているとともに、前記水位センサー取付部の一端側には前記把持部の外側面より突出する突状部が形成されていることを特徴とする請求項４または請求項５に記載の水位センサー取付部材。
【請求項７】
前記水位センサー取付部材は樹脂で形成されていることを特徴とする請求項１から請求項６のいずれか１項に記載の水位センサー取付部材。
【発明の詳細な説明】
【技術分野】
【０００１】
本発明は、例えば、冷凍冷蔵ショーケースの下部機械室に設けてあるドレン水蒸発皿の水位を検知する水位センサーを取付けるための水位センサー取付構造に関するものである。
【背景技術】
【０００２】
従来、この種の水位センサー取付構造においては、例えば、ドレン水を溜める補助タンクの側方に配置させたセンサー取付台を基台に溶接やネジ止め等で取り付け、このセンサー取付台に水位センサーを設置していた。また、別の水位センサー取付構造としては、補助タンクが金属製であれば、センサー取付台を補助タンクの底板に溶接で取り付け、このセンサー取付台に水位センサーを設置していた。
【特許文献１】特開平１０−２８１６２６号公報
【発明の開示】
【発明が解決しようとする課題】
【０００３】
しかしながら、このような水位センサー取付構造においては、センサー取付台を基台や金属製の補助タンクの底板に溶接やネジ止め等で取り付けなければならないため、製造する上で手間がかかるという問題が生じていた。また、冷凍冷蔵ショーケースが多品種ある場合には補助タンクも複数種類必要となり、そのために、センサー取付台も補助タンクの種類に合わせて複数種類用意しなければならず、センサー取付台自体の製造コストや管理に費用がかかってしまうという問題が生じていた。本発明はこのような問題点を解決するためになされたもので、その目的とするところは、水位センサーが取付く水位センサー取付部材の前記補助タンクに該当するドレン水蒸発皿への取り付けを簡単にするとともに、多品種の冷凍冷蔵ショーケースに対して複数種類水位センサー取付部材を用意することなく、共通の水位センサー取付部材で対応できる水位センサー取付部材を提供することである。
【課題を解決するための手段】
【０００４】
上記の目的を達成するために、請求項１の発明は、ドレン水蒸発皿とドレン水蒸発皿の水位を検知する水位センサーとを設けたショーケースの前記水位センサーをドレン水蒸発皿へ取付けるための水位センサー取付部材であって、前記水位センサー取付部材は、水位センサー取付用の孔またはスリット孔が設けてある平面板状の水位センサー取付部と、前記水位センサー取付部の一端側に垂設されて前記ドレン水蒸発皿の側板上縁部を把持する把持部と、で形成されていることを特徴とする。
【０００５】
また、請求項２の発明は、請求項１の発明において、前記把持部には、前記側板上縁部が差込まれる差込スリットが形成された把持手段が設けられていることを特徴とする。
【０００６】
また、請求項３の発明は、請求項２に記載の発明において、前記把持手段は少なくとも３個所設けられており、前記把持手段のうち隣合わない把持手段の差込スリット中心同士を結んで形成される想像線に対して、前記隣合わない把持部の中間にある把持手段の差込スリット中心は一致せずに設けられていることを特徴とする。
【０００７】
また、請求項４の発明は、請求項１から請求項３のいずれか１項に記載の発明において、前記水位センサー取付部の他端側であって前記把持部と同一方向に垂直壁部が垂設されていることを特徴とする。
【０００８】
また、請求項５の発明は、請求項４に記載の発明において、前記垂直壁部には、前記スリット孔と連通するスリットが設けられていることを特徴とする。
【０００９】
また、請求項６の発明は、請求項４または請求項５に記載の発明において、前記垂直壁部の外側面は、先端に行くほど内側に傾斜するテーパ面で形成されているとともに、前記水位センサー取付部の一端側には前記把持部の外側面より突出する突状部が形成されていることを特徴とする。
【００１０】
また、請求項７の発明は、請求項１から請求項６のいずれか１項に記載の発明において、前記水位センサー取付部材は樹脂で形成されていることを特徴とする。
【発明の効果】
【００１１】
請求項１の発明によれば、水位センサー取付部材は、水位センサー取付用の孔またはスリット孔が設けてある平面板状の水位センサー取付部と、前記水位センサー取付部の一端側に垂設されて前記ドレン水蒸発皿の側板上縁部を把持する把持部とで形成されているため、水位センサー取付部材をドレン水蒸発皿に簡単に取り付けることができるという利点がある。また、ドレン水蒸発皿の側板上縁部の形状寸法が共通であれば、複数種類のドレン水蒸発皿に対して同一の水位センサー取付部材が取り付けられることから、水位センサー取付部材を複数用意しなくてもよいという利点がある。
【００１２】
また、請求項２の発明によれば、把持部には、ドレン水蒸発皿の側板上縁部が差込まれる差込スリットが形成された把持手段が設けられているため、ドレン水蒸発皿の側板上縁部を差込スリットに差し込むだけの簡単な取付操作により、水位センサー取付部材をドレン水蒸発皿に簡単に取り付けることができるという利点がある。
【００１３】
また、請求項３の発明によれば、把持手段は少なくとも３個所設けられており、前記把持手段のうち隣合わない把持手段の差込スリット中心同士を結んで形成される想像線に対して、前記隣合わない把持部の中間にある把持手段の差込スリット中心は一致せずに設けられていることから、差込スリットのスリット幅寸法が側板上縁部の板厚寸法よりも大きく、差込スリットに側板上縁部を差し込んで多少のガタがある場合であっても、水位センサー取付部材をドレン水蒸発皿にガタなくしっかりと取り付けることができるというるという利点がある。
【００１４】
また、請求項４の発明によれば、水位センサー取付部の他端側には垂直壁部が前記把持部と同一方向垂設されているため、メンテ等でドレン水蒸発皿をショーケース下部の機械室から出し入れする際に、前記垂直壁部が水位センサーを保護する防護壁の機能を果たすために、水位センサーを他の装置部品等の接触から保護するという利点がある。
【００１５】
また、請求項５の発明によれば、垂直壁部には、水位センサー取付部に設けられた水位センサー取付用のスリット孔と連通するスリットが設けられていることから、水位センサーの水位センサー取付部材への取り付けが容易であるという利点がある。
【００１６】
また、請求項６の発明によれば、垂直壁部の外側面は、先端に行くほど内側に傾斜するテーパ面で形成されているとともに、前記水位センサー取付部の一端側には前記把持部の外側面より突出するは突状部が形成されていることから、差込スリットのスリット幅寸法が側板上縁部の板厚寸法よりも小さくて、差込スリットに側板上縁部を差し込めない場合であっても、ドレン水蒸発皿底部にドレン水蒸発皿の側板と所定間隔をおいた垂直板材が設置されていれば、前記垂直板材の側面と把持部外側面を、前記垂直板材の上端面と突状部の下面を当接させるとともに、ドレン水蒸発皿の側板と垂直壁部のテーパ面と当接させることにより、水位センサー取付部材をドレン水蒸発皿にガタなくしっかりと取り付けることができるというるという利点がある。
【００１７】
また、請求項７の発明によれば、水位センサー取付部材は樹脂で形成されていることから、樹脂の持つ可撓性により水位センサー取付部材をドレン水蒸発皿にガタなくしっかりと取付けることができるとともに、水位センサー取付部材を安価で製造できるという利点がある。
【発明を実施するための最良の形態】
【００１８】
次に、図面において本発明の実施例を説明する。図１は本発明である水位センサー取付部材が取付く冷凍冷蔵オープンショーケースの縦断面図、図２は本発明である水位センサー取付部材の実施例を示す斜視図、図３は本発明である水位センサー取付部材の実施例の側面図、図４は本発明である水位センサー取付部材の実施例の底面図、図５は本発明である水位センサー取付部材の取り付け形態を示す縦断面図、図６は本発明である水位センサー取付部材の他の取り付け形態を示す縦断面図をそれぞれ示している。
【００１９】
図１に示すように、本発明である水位センサー取付部材２０が取付く冷凍冷蔵オープンショーケース１は、前面が開放されて複数の棚板３が設けられた貯蔵室２と、貯蔵室２の下部に設けられ、図示しない冷凍回路を構成する圧縮機、凝縮器、および、ドレン水を受けるドレン水蒸発皿１５が収容される機械室４とを備えている。貯蔵室２は、上面と背面と底面とを備えて略コの字形状に形成された仕切板７で構成されており、その前面上部には冷気が吹き出す冷気吹出口５が、また、その前面下部には前記冷気吹出口５から吹出された冷気によって貯蔵室２の前面に形成されるエアカーテンを吸込む冷気吸込口６が配されている。また、仕切板７の外側には、仕切板７と間隔をおいて略コの字形状の断熱材８が覆っており、仕切板７と断熱材８との間には冷気吹出口５と冷気吸込口６とに連通する空気通風路１０が形成されている。
【００２０】
貯蔵室２の背面側の空気通風路１０には、冷凍回路を構成する蒸発器１３が配設されており、また、貯蔵室２の底面側の空気通風路１０には、蒸発器１３の風上側に位置して冷気吸込口６から吸込んだ空気を蒸発器１３へ送る送風機１２がダクト１１を介して断熱材８の底面部８ａに配設されている。断熱材８の底面部８ａは、前側が後側より低くなる傾斜面で形成されており、また、その底面部８ａの手前側には蒸発器１３から発生したドレン水を排水するための排水口８ｂが設けられている。そして、この排水口８ｂの下方側には機械室４に収容されたドレン水蒸発皿１５へドレン水を導くためのドレン管１４が配設されている。
【００２１】
ドレン水蒸発皿１５には、ドレン水蒸発皿１５に溜まったドレン水を検知する水位センサー１６が本発明である水位センサー取付部材２０を介して取り付けられている。ドレン水は、蒸発器などに付いた霜をヒータや高温冷媒などを使った図示しない除霜手段によって溶かすことによって発生し、その発生したドレン水は傾斜面で形成された底面部８ａ、排水口８ｂおよびドレン管１４を介してドレン水蒸発皿１５に導かれる。そして、ドレン水がドレン水蒸発皿１５に所定量以上溜まると、ドレン水蒸発皿１５に水位センサー取付部材２０を介して取り付けられている水位センサー１６により検知されて図示しない制御手段により報知される。
【００２２】
本発明である水位センサー取付部材２０は、図２乃至４に示すように、略矩形状である平面板状部材２１ｂであって、該平面板状部材２１ｂの略中央から短辺縁部までスリット孔２２が形成された水位センサー取付部２１と、水位センサー取付部２１の一端側に垂設された把持部２３と、前記水位センサー取付部２１の他端側であって前記把持部２３と同一方向に垂設された垂直壁部２４とを備えている。尚、スリット孔２２の代わりに、該平面板状部材２１ｂの略中央に孔２２ｂを設けただけであっても構わない。垂直壁部２４は必ずしも必要ではないが、垂直壁部２４があることにより、ドレン水蒸発皿１５を機械室４からメンテ等の理由で出し入れする際に水位センサー１６と他の機器との干渉を防止する機能を有している。
【００２３】
前記把持部２３は、水位センサー取付部２１の一面（以下、取付部下面２１ｃと言う。）に略直角の角度になるように固設された把持部垂直板２３ａと、前記取付部下面２１ｃに立設して前記把持部垂直板２３ａの内側面に支持される把持手段２３ｂとから成り、前記把持手段２３ｂは前記把持部垂直板２３ａの両端部および中央部の３個所に配設されている。ここで、把持部垂直板２３ａは前記平面板状部材２１ｂの縁端面から内側方向に間隔をおいて配設されおり、把持部垂直板２３ａの外側面から前記平面板状部材２１ｂの縁端面までの突出部分が本発明における突状部２５を構成する。尚、突状部２５は、前記水位センサー取付部の一端側に前記把持部の外側面より突出する構成であれば、本実施例のような構成ではなく、把持部垂直板２３ａの外側面上部に突状部材が連続して設けられる構成、または、間隔をおいて複数設けられる構成であっても構わない。また、本実施例では、把持部２３は把持部垂直板２３ａと把持手段２３ｂとで構成されており、把持部垂直板２３ａは把持手段２３ｂの補強のために設けられているが、把持手段２３ｂ自身が十分に強度を持っていれば、把持部垂直板２３ａは必ずしも必要ではない。
【００２４】
把持手段２３ｂは、前記側板上縁部１５ｂを差込こむ差込スリット２３ｃが形成された板状部材であり、差込スリット２３ｃのスリット幅は、前記側板上縁部１５ｂの板厚幅より広い寸法か、または、前記側板上縁部１５ｂの板厚幅より狭い寸法であっても、把持手段２３ｂの板状部材の変形による差込スリット２３ｃの拡開によって前記側板上縁部１５ｂが差込み可能な幅に設定されている。また、前記差込スリット２３ｃの開口部には、前記側板上縁部１５ｂの差込みが容易になるようにテーパ部２３ｄが施されている。本発明である水位センサー取付部材２０は、差込スリット２３ｃにドレン水蒸発皿１５の前記側板上縁部１５ｂが差込こまれ、前記側板上縁部１５ｂを把持手段２３ｂで把持することによって、ドレン水蒸発皿１５に取り付けられる。尚、前記把持部垂直板２３ａの両端部に配設された前記把持手段２３ｂには、前記把持手段２３ｂと垂直壁部２４を支持するリブ部材２６が取付部下面２１ｃに立設して、補強のためにそれぞれ配されている。
【００２５】
本実施例では、前記把持手段２３ｂは前記把持部垂直板２３ａの両端部および中央部の３個所に配設されているが、３個所に限定されることはなく前記把持部垂直板２３ａの両端部の２個所であっても構わない。また、３個所より多い４個所以上であっても構わない。さらに、前記把持手段２３ｂの板状部材が所定幅あり、ドレン水蒸発皿１５の前記側板上縁部１５ｂを安定して把持することが可能であれば１個所であっても構わない。
【００２６】
本実施例においては、前記３個所の把持手段２３ｂのうち、中央部にある把持手段２３ｂは、両端部の把持手段２３ｂの差込スリット中心同士を結んで形成される想像線に対して中央部にある把持手段２３ｂの差込スリット中心が所定間隔ずれて設けられている。これによって、差込スリット２３ｃのスリット幅が、ドレン水蒸発皿１５の前記側板上縁部１５ｂの板厚幅より所定幅広い寸法で形成されて、水位センサー取付部材２０をドレン水蒸発皿１５に取付けた際にガタが生じるような差込スリット２３ｃのスリット幅寸法であっても、両端部の把持手段２３ｂそれぞれの差込スリットを形成するスリット一方側縁部と、中央部にある把持手段２３ｂの差込スリットを形成するスリット他方側縁部とでドレン水蒸発皿１５の前記側板上縁部１５ｂを支持して、そのガタを吸収することができる。尚、４個所以上前記把持手段２３ｂが配設されている場合は、隣合わない把持手段の差込スリット中心同士を結んで形成される想像線に対して、前記隣合わない把持部の中間にある把持手段の差込スリット中心が所定間隔ずれて各把持部が設けられていればよい。
【００２７】
把持手段が複数ある場合のその配列は、例えば、各把持手段が千鳥状に配列されていてもよいし、両端部の把持手段２３ｂの差込スリット中心同士を結んで形成される想像線に対して、その両端の把持手段の中間にある全ての把持手段２３ｂの差込スリット中心が所定間隔ずれて配列されていても構わない。
【００２８】
前記水位センサー取付部２１の他端側に垂設された垂直壁部２４にはスリット２４ａが形成されていると共に、その外側面は、先端に行くほど内側に傾斜するテーパ面２４ｂで形成されている。前記スリット２４ａは水位センサー取付部２１に形成されたスリット孔２２と連通すると共に、その反対側は垂直壁部２４の縁端まで伸びており、スリット孔２２とスリット２４ａとでひとつのスリットが形成されている。このスリット孔２２とスリット２４ａとで形成されたスリットによって、水位センサー１６の水位センサー取付部材２０への取付けと取外しが容易に行える。尚、このスリット２４ａは、水位センサー取付部材２０にスリット孔２２が形成されておらず、孔が形成されている場合は不要である。
【００２９】
さらに、水位センサー取付部材２０は樹脂で形成されており可撓性を有している。そのため、水位センサー取付部材２０をドレン水蒸発皿１５にガタなくしっかりと取付けることができるとともに、水位センサー取付部材２０を安価で製造することができる。
【００３０】
次に、水位センサー取付部材２０の取り付け形態を図５，６で説明する。水位センサー取付部材２０のドレン水蒸発皿１５への取り付けは、ドレン水蒸発皿１５の前記側板上縁部１５ｂを把持手段２３ｂの差込スリット２３ｃに差し込むことによって、水位センサー取付部材２０がドレン水蒸発皿１５に簡単に固定される。そして、水位センサー１６を、スリット孔２２とスリット２４ａとで形成されたスリットから差し込んで水位センサー取付部２１の略中央に配置し、水位センサー取付部２１の両面から周知な技術であるナットおよび座金等で水位センサー取付部２１を挟み込んで水位センサー１６を水位センサー取付部材２０に固定する。水位センサー取付部材２０にスリット孔２２とスリット２４ａとで形成されたスリットが形成されておらず、水位センサー取付部２１に孔２２ｂが形成されている場合の、水位センサー１６の水位センサー取付部材２０への取り付けは、水位センサー１６から図示しない配線を取り外し、水位センサー１６の一方側を水位センサー取付部２１の孔２２ｂに差し込んでから周知な技術であるナットおよび座金等で水位センサー取付部２１を挟み込んで水位センサー１６を水位センサー取付部材２０に固定し、その後、図示しない配線を水位センサー１６に接続すればよい。
【００３１】
水位センサー取付部材２０のドレン水蒸発皿１５への他の取り付け形態は図６に示す。図６において、ドレン水蒸発皿１５は、樹脂で成型されて側板１５ａに抜き勾配があり、また、ドレン水蒸発皿１５の底板に垂直板材１５ｃが垂設されている。
水位センサー取付部材２０のドレン水蒸発皿１５への取り付けは、水位センサー取付部材２０の突状部２５の下面を垂直板材１５ｃの上端面に当接させるとともに把持部垂直板２３ａの外側面を垂直板材１５ｃ側面に当接させて水位センサー取付部材２０の一端側を固定し、水位センサー取付部材２０のテーパ面２４ｂを側板１５ａの内側面に当接させることにより水位センサー取付部材２０の他端側を固定して、水位センサー取付部材２０を側板１５ａと垂直板材１５ｃの間に挟持させて固定する。この場合においては、水位センサー１６を事前に水位センサー取付部材２０に取り付けておくことが望ましい。
【００３２】
尚、本実施例では、多段式の冷凍冷蔵オープンショーケースの実施例について説明したが、これに限定されるものではなく、上面が開口した平型のオープンショーケースその他のショーケース、蒸発器を備えてそのドレン水を受けるドレン水蒸発皿を有する冷凍冷蔵庫などにも適用狩野である。
【図面の簡単な説明】
【００３３】
【図１】冷凍冷蔵オープンショーケースの縦断面図である。
【図２】水位センサー取付部材の実施例を示す斜視図である。
【図３】水位センサー取付部材の実施例の側面図である。
【図４】水位センサー取付部材の実施例の底面図である。
【図５】水位センサー取付部材の取り付け形態を示す縦断面図である。
【図６】水位センサー取付部材の他の取り付け形態を示す縦断面図である。
【符号の説明】
【００３４】
２０    水位センサー取付部材
２１    水位センサー取付部
２２    スリット孔
２３    把持部
２３ｂ  把持手段
２３ｃ  差込スリット
【図１】
2010085035.tif 000003
【図２】
2010085035.tif 000004
【図３】
2010085035.tif 000005
【図４】
2010085035.tif 000006
【図５】
2010085035.tif 000007
【図６】
2010085035.tif 000008